(57)【要約】    【課題】  予め優先順位を設定した判断情報に基づいて確実且つ自動的にデータを消去することが可能な情報記録再生装置、方法及びプログラムを提供する。    【解決手段】  記録装置３側にはハードディスク７と、ハードディスク７に対するデータの書き込み、読み出しを制御する記録制御部８とが設けられている。記録制御部８には、アクセス頻度記録部９と、消去可否フラグ記録部１０と、デートコード記録部１１と、判断情報順位設定部１２とが設置されている。判断情報順位設定部１２は、アクセス頻度、消去可否フラグ及びデートコードをデータ消去の際の判断情報とし、これら判断情報の優先順位を設定する。【選択図】  図１
2005276279.tif 000002
【特許請求の範囲】
【請求項１】
データの書き込み及び消去が可能な記録媒体と、該記録媒体にデータを書き込む記録手段と、前記データを再生する再生手段と、前記記録媒体からデータを消去する消去手段とが具備された情報記録再生装置において、
前記データへのアクセス頻度を記録するアクセス頻度記録手段と、
前記アクセス頻度を識別するアクセス頻度識別手段が設けられ、
前記消去手段はアクセス頻度の低い順にデータを消去するように構成されていることを特徴とする情報記録再生装置。
【請求項２】
前記データの消去に関して優先的に消去するか否かという消去優先情報を該データに付加する消去優先情報付加手段と、
前記消去優先情報を識別する消去優先情報識別手段とが設けられ、
前記消去手段は前記消去優先情報に基づいてデータを消去するように構成されていることを特徴とする請求項１記載の情報記録再生装置。
【請求項３】
前記データ書き込み時のデートコードを該データに付加するデートコード付加手段と、
前記デートコードを識別するデートコード識別手段が設けられ、
前記消去手段は前記デートコードに基づいて所定の時間が経過したデータから順に消去するように構成されたことを特徴とする請求項１又は２に記載の情報記録再生装置。
【請求項４】
前記アクセス頻度、前記消去優先情報及び前記デートコードのうち少なくとも１つ乃至３つをデータ消去の際の判断情報とし、これら判断情報の優先順位を設定可能な判断情報順位設定手段が設けられたことを特徴とする請求項１〜３のいずれか一項に記載の情報記録再生装置。
【請求項５】
データの書き込み及び消去が可能な記録媒体にデータを書き込む記録ステップと、前記データを再生する再生ステップと、前記記録媒体からデータを消去する消去ステップとを含んだ情報記録再生方法において、
前記データへのアクセス頻度を記録するアクセス頻度記録ステップと、
前記アクセス頻度を識別するアクセス頻度識別ステップと、
前記データの消去に関して優先的に消去するか否かという消去優先情報を該データに付加する消去優先情報付加ステップと、
前記消去優先情報を識別する消去優先情報識別ステップと、
前記データ書き込み時のデートコードを該データに付加するデートコード付加ステップと、
前記デートコードを識別するデートコード識別ステップと、
前記アクセス頻度、前記消去優先情報及び前記デートコードのうち少なくとも１つ乃至３つをデータ消去の際の判断情報とし、これら判断情報の優先順位を設定可能な判断情報順位設定ステップとを含み、
前記消去ステップでは設定された判断情報の優先順位に基づいてデータを消去することを特徴とする情報記録再生方法。
【請求項６】
データの書き込み及び消去が可能な記録媒体にデータを書き込ませ、前記データを再生させ、前記記録媒体からデータを消去させる情報記録再生プログラムにおいて、
前記データへのアクセス頻度を記録させ、
前記アクセス頻度を識別させ、
前記データの消去に関して優先的に消去するか否かという消去優先情報を該データに付加させ、
前記消去優先情報を識別させ、
前記データ書き込み時のデートコードを該データに付加させ、
前記デートコードを識別させ、
前記アクセス頻度、前記消去優先情報及び前記デートコードのうち少なくとも１つ乃至３つをデータ消去の際の判断情報とし、これら判断情報の優先順位を設定させ、
設定された判断情報の優先順位に基づいてデータを消去させることを特徴とする情報記録再生プログラム。
【発明の詳細な説明】
【技術分野】
【０００１】
本発明は、記録媒体に記録されたデータの消去技術に改良を施した情報記録再生装置、方法及びプログラムに関するものである。
【背景技術】
【０００２】
デジタル技術の進展は、車載用の情報機器やエンターテイメント機器の発達と多様化をもたらし、ナビゲーション用の地図データや音楽情報を記録再生する様々な機器が登場している。また近年では、予め記録された情報を単に読み出すだけでなく、ユーザ自身が情報を新たに書き込む要求が高まっており、読み出し専用の記録媒体ではなく、書き込み可能な記録媒体が用いられるようになってきている。中でも、ハードディスクは多量の情報を比較的高速で読み出し、書き込むことができ、しかもランダムアクセスや書き換えも可能である。このため、パソコンや家庭で使用されるハードディスクプレーヤなどに加えて、車載用のハードディスクナビゲーション装置にも採用されている。
【０００３】
通常、ハードディスクナビゲーション装置には、音楽再生用のＣＤプレーヤが一体的に設けられ、ＣＤプレーヤで再生したオーディオデータを順次ハードディスクに記録しておき、いったん記録した後はＣＤプレーヤ内にわざわざＣＤを挿入しなくとも、ハードディスクに記録したオーディオデータを再生することができるようになっている。ＣＤプレーヤに挿入するＣＤの種類としては、デジタルオーディオ形式で曲を記録したＣＤ−ＤＡや、ＭＰ３などの圧縮形式で曲を記録したディスクが使用されている。
【特許文献１】特開２００１−１４３３６９号公報
【発明の開示】
【発明が解決しようとする課題】
【０００４】
ところで、ＣＤプレーヤで何枚ものディスクを再生して多量のオーディオデータをハードディスクに記録していくと、次第にハードディスクの空き容量が埋まっていく。最終的にハードディスクが容量一杯のフル状態になってしまうと、希望のデータをハードディスクに記録することができなくなる。したがって、新規のデータをハードディスクに書き込むためには既に記録してあるデータをハードディスクから消去しなくてはならない。
【０００５】
このようなデータの消去作業はユーザ自身が行うことになるが、ハードティスクに多数のデータが記録された状態では、消去すべきデータを選ぶことが難しく、必要なデータを誤って消去する可能性もある。また、新しいデータを記録するのに必要な空き容量を確かめておかないと、せっかくデータの消去作業を行っても新しいデータを記録するだけの書き込み容量が足りないといった事態が生じる。この場合、所望の空き容量に達するまで消去作業を繰り返し行う必要があり、非常に面倒であった。しかも、新規に記録するデータが大きい場合には、まだ消去したくないデータも消去するようなことにもなりかねなかった。
【０００６】
以上のような消去作業に伴う不具合は、オーディオデータをハードディスクに記録する場合に限らず、大容量半導体メモリなどの記録媒体から、画像や動画など種々のデータを消去する場合も同様である。そのため、ハードディスクを採用した装置にとどまらず、デジタルカメラやデジタルビデオ、あるいはカメラ付き携帯電話など情報記録再生装置に広く共通する問題点であった。
【０００７】
本発明は、上記の問題点を解決するために提案されたものであり、その目的は、新規のデータを記録媒体に記録する時、記録媒体の空き容量が足りなければ、ユーザが設定した所望の方法で消去したいデータを確実且つ自動的に消去することが可能な情報記録再生装置、方法及びプログラムを提供することである。
【課題を解決するための手段】
【０００８】
上記目的を達成するために、請求項１の発明は、データの書き込み及び消去が可能な記録媒体と、該記録媒体にデータを書き込む記録手段と、前記データを再生する再生手段と、前記記録媒体からデータを消去する消去手段とが具備された情報記録再生装置において、前記データへのアクセス頻度を記録するアクセス頻度記録手段と、前記アクセス頻度を識別するアクセス頻度識別手段が設けられ、前記消去手段はアクセス頻度の低い順にデータを消去するように構成されていることを特徴とする。
【０００９】
以上のような請求項１の発明では、記録媒体に記録されたデータに対するアクセス頻度を記録しておき、これを識別してアクセス頻度が少なくユーザの利用度が低いデータから順次自動的に消去することができる。したがって、記録媒体からデータを消去する時、ユーザ自身が消去すべきデータをいちいち選択する手間を省くことができ、消去作業を簡単且つ的確に行うことができる。
【００１０】
請求項２の発明は、請求項１記載の情報記録再生装置において、前記データの消去に関して優先的に消去するか否かという消去優先情報を該データに付加する消去優先情報付加手段と、前記消去優先情報を識別する消去優先情報識別手段とが設けられ、前記消去手段は前記消去優先情報に基づいてデータを消去するように構成されていることを特徴とする。
【００１１】
以上のような請求項２の発明では、記録媒体に記録されたデータに関して、消去する際の優先度を消去優先情報としてユーザ自身がデータに付加しておき、これを識別することで、消去優先度の高いデータ、つまり消去しても支障がないとユーザが考えるデータから順次、自動的に消去することができる。したがって、記録媒体に記録されたデータのうち、消したくないものについては、このデータの消去優先度を低くしてこれを消去されにくい状態もしくは消去禁止状態にしておき、当該データを保護することが可能となる。その結果、重要なデータを不用意に消去することを防止でき、消去作業の信頼性を高めることができる。さらに、消去優先度の範囲を指定して、指定した範囲内の消去優先度に該当するデータを記録媒体から一括して消去するといった作業も可能である。これにより、消したくないデータを守りつつ、データの大量消去を行うことができる。
【００１２】
請求項３の発明は、請求項１又は２に記載の情報記録再生装置において、前記データ書き込み時のデートコードを該データに付加するデートコード付加手段と、前記デートコードを識別するデートコード識別手段が設けられ、前記消去手段は前記デートコードに基づいて所定の時間が経過したデータから順に消去するように構成されたことを特徴とする。
【００１３】
以上のような請求項３の発明では、記録媒体に記録された時のデートコードに基づいて所定の時間が経過した古いデータから順次自動的に消去することができる。したがって、請求項１及び２の発明と同じく、ユーザ自身がいちいち選んでデータを消去する手間がかからず、消去作業の作業効率が向上する。
【００１４】
請求項４の発明は、請求項１〜３のいずれか一項に記載の情報記録再生装置において、前記アクセス頻度、前記消去優先情報及び前記デートコードのうち少なくとも１つ乃至３つをデータ消去の際の判断情報とし、これら判断情報の優先順位を設定可能な判断情報順位設定手段が設けられたことを特徴とする。
【００１５】
請求項５の発明は、データの書き込み及び消去が可能な記録媒体にデータを書き込む記録ステップと、前記データを再生する再生ステップと、前記記録媒体からデータを消去する消去ステップとを含んだ情報記録再生方法において、前記データへのアクセス頻度を記録するアクセス頻度記録ステップと、前記アクセス頻度を識別するアクセス頻度識別ステップと、前記データの消去に関して優先的に消去するか否かという消去優先情報を該データに付加する消去優先情報付加ステップと、前記消去優先情報を識別する消去優先情報識別ステップと、前記データ書き込み時のデートコードを該データに付加するデートコード付加ステップと、前記デートコードを識別するデートコード識別ステップと、前記アクセス頻度、前記消去優先情報及び前記デートコードのうち少なくとも１つ乃至３つをデータ消去の際の判断情報とし、これら判断情報の優先順位を設定可能な判断情報順位設定ステップとを含み、前記消去ステップでは設定された判断情報の優先順位に基づいてデータを消去することを特徴とする。
【００１６】
請求項６の発明は、データの書き込み及び消去が可能な記録媒体にデータを書き込ませ、前記データを再生させ、前記記録媒体からデータを消去させる情報記録再生プログラムにおいて、前記データへのアクセス頻度を記録させ、前記アクセス頻度を識別させ、前記データの消去に関して優先的に消去するか否かという消去優先情報を該データに付加させ、前記消去優先情報を識別させ、前記データ書き込み時のデートコードを該データに付加させ、前記デートコードを識別させ、前記アクセス頻度及び前記消去優先情報及び前記デートコードのうち少なくとも１つ乃至３つをデータ消去の際の判断情報とし、これら判断情報の優先順位を設定させ、設定された判断情報の優先順位に基づいてデータを消去させることを特徴とする。
【００１７】
以上のような請求項４、５、６の発明では、データ消去時の判断情報を１つ乃至３つ用意しておき、判断情報の優先順位を決めた上でデータ消去を行うことができる。したがって、ユーザは所望のデータ消去手法を柔軟に設定可能である。なお、判断情報を１つだけ選ぶ場合も、その判断情報の優先順位が一位であることに変わりはないので優先順位を設定することに含むこととする。
【発明の効果】
【００１８】
以上のような本発明によれば、アクセス頻度、消去優先情報あるいはデートコードをデータ消去の際の判断情報とし、その優先順位を予め設定しておき、データの消去作業を実施する時、この設定に基づいて確実且つ自動的に所望のデータだけを消去することが可能な情報記録再生装置、方法及びプログラムを提供することができる。
【発明を実施するための最良の形態】
【００１９】
次に、本発明を実施するための最良の形態(以下「実施形態」と呼ぶ)について図面を参照して具体的に説明する。なお、本実施形態は周辺機器を備えたコンピュータをプログラムで制御することで実現可能であるが、この場合のハードウェアやプログラムの実現態様は各種変更可能である。また、本発明は情報記録再生装置及び方法に加えて、プログラムそのもの、あるいはプログラムを記録したコンピュータで読み取り可能な記録媒体としても把握することができる。したがって、以下の説明では、本発明及び本実施形態の各機能を実現するものとして仮想的な機能ブロック図を用いている。
【００２０】
〔１.構成〕
本実施形態は車載用のハードディスクナビゲーション装置１に適用されるものであって、ＣＤプレーヤ２で再生したオーディオデータをハードディスク７内に記録しておき、ハードディスク７に記録したオーディオデータを再生可能な情報記録再生装置であり、図１の機能ブロック図に示すような各要素を具備している。
【００２１】
すなわち、音楽再生用のＣＤプレーヤ２が一体的に設置されており、ここにはピックアップやサーボモータなどを含む機構部４と、これら機構部４を制御する再生制御部５とが設けられている。再生制御部５はＣＤから読み出されたオーディオデータを増幅してスピーカ６に出力すると共に、記録装置３側にデータを出力するようになっている。
【００２２】
記録装置３側にはハードディスク７と記録制御部８とが設けられている。ハードディスク７はＣＤプレーヤ２で再生したオーディオデータを書き込み可能で且つデータの書き換え可能な記録媒体である。ハードディスク７にはナビゲーションプログラムや、各種の地点情報を含む道路地図データが格納されると共に、ＣＤプレーヤ２からのオーディオデータを記録するための記録領域が形成されている。記録制御部８は、ハードディスク７に対するデータの書き込み、読み出し及び消去を制御するメモリコントローラ８ａと、ＣＤプレーヤ２側から入力されたデータをハードディスク７への記録用データに圧縮するエンコーダ部８ｂと、ハードディスク７から読み出したデータを展開するデコーダ部８ｃとを有しており、展開したデータを増幅してスピーカ６に出力するようになっている。
【００２３】
また、記録制御部８には、アクセス頻度記録部９と、消去可否フラグ記録部１０と、デートコード記録部１１と、判断情報順位設定部１２とが設置されている。このうち、アクセス頻度記録部９は、ハードディスク７に記録されたデータ（例えば曲目のデータ）に対するアクセス頻度（曲の再生回数）を記録する手段である。また、消去可否フラグ記録部１０は消去優先情報を付加する手段であり、各データについて優先的に消去する消去優先フラグ、もしくは消去を禁止する消去禁止フラグといった消去可否フラグを記録するようになっている。デートコード記録部１１は、ハードディスク７にデータを記録した日時であるデートコードを記録する手段である。そして、記録制御部８は上記の記録部９、１０、１１がそれぞれ記録したアクセス頻度、消去可否フラグ及びデートコードを識別するように構成されている。
【００２４】
判断情報順位設定部１２は、アクセス頻度、消去可否フラグ及びデートコードをデータ消去の際の判断情報とし、これら判断情報の優先順位を設定する手段である。また、消去可否フラグ記録部１０及び判断情報順位設定部１２は、ユーザが任意に設定を行えるようにデータ入力部１３に接続されている。データ入力部１３はユーザがスイッチなどから各種の設定信号を入力するための手段であり、タッチセンサ機能やリモコンユニット、信号送受信ユニットを備えたものである。
【００２５】
〔２.作用〕
本実施形態によるデータ消去の流れは次の通りである。ＣＤプレーヤ２からのオーディオデータをハードディスク７に書き込んでいくと、ハードディスク７の記録領域は次第に一杯となってデータを書き込む余地がなくなっていき、新たにデータを書き込むには記録済みのデータを消去する必要が出てくる。
【００２６】
本実施形態において、ハードディスク７へのデータ書き込みは、ハードディスク７がフル状態になっていないかどうかを確認しながら、実施している。また、データ書き込み時は記録した時のデートコードについて、デートコード記録部１１がこれを記録している。また、データをハードディスク７に書き込んだ後はデータファイル読み出しのために実行したアクセス頻度について、アクセス頻度記録部９がこれを記録している。
【００２７】
さらに、ハードディスク７に書き込んだデータに関して、優先的に消去するデータなのか、あるいは消去禁止のデータなのかといった消去可否フラグを、ユーザがデータ入力部１３を操作して入力し、消去可否フラグ記録部１０がこれを記録する。また、ユーザはデータ入力部１３を操作し、判断情報順位設定部１２においてアクセス頻度、消去可否フラグ及びデートコードの中でその優先順位を予め設定しておく。
【００２８】
例えば、消去可否フラグを最優先と設定した場合、記録された全データ中、まずは消去優先フラグがついたデータを消去し、消去禁止フラグがついたデータに関しては消去対象から除外する。また、デートコードよりもアクセス頻度を優先させる設定とした場合には、アクセス頻度の少ないデータから消去するようにし、アクセス頻度が同じ場合にデートコードの古いデータから消去する。なお、アクセス頻度よりもデートコードを優先させた場合には、上記と逆の優先順位設定となる。
【００２９】
本実施形態のデータ消去作業においては、消去可否フラグを最優先の判断情報として設定し、消去優先フラグをつけたデータから消去を行い、消去禁止フラグがついたデータに関しては消去対象から除外するものとする。その上で、デートコードよりもアクセス頻度を優先させた場合には、消去優先フラグがついていないデータの中からアクセス頻度の少ない順に消去していく。また、アクセス頻度がデートコードよりも優先されていない場合には、消去優先フラグがついていないデータの中からデートコードの古い順に消去していく。
【００３０】
続いて、このようなデータ消去処理について図２のフローチャートを用いて詳しく説明する。ハードディスク７へのデータの書き込みを開始した場合に（ステップ1）、まずハードディスク７のメモリがフル状態かどうかを検査する（ステップ２）。この場合、ハードディスク７がフル状態でなければ（ステップ２のＮＯ）、データの書き込みを継続する（ステップ３のＮＯ）。そして、データの書き込みが終了した時点で（ステップ３のＹＥＳ）、データの書き込みを停止する（ステップ４）。
【００３１】
前記ステップ２においてハードディスク７のメモリがフル状態の場合には（ステップ２のＹＥＳ）、データのアクセス頻度に関して優先設定がなされているか否かを検査し（ステップ５）、アクセス頻度の優先設定がなされている場合には(ステップ５のＹＥＳ)、ハードディスク７に記録されたデータの中に消去可否フラグをつけたデータがあるか否かを検査する（ステップ６）。優先的に消去する消去優先フラグをつけたデータがある場合には（ステップ６のＹＥＳ）、そのデータを消去する(ステップ７)。
【００３２】
一方、消去優先フラグをつけたデータがない場合には（ステップ６のＮＯ）、各データのアクセス頻度を識別し、これに従ってデータをソートする（ステップ８）。但し、データ中に消去禁止フラグがついたものがある場合、そのデータは対象外としてソートを実行する。そして、最もアクセス頻度の低いデータから順次消去していく（ステップ９）。
【００３３】
前記ステップ５においてデータのアクセス頻度に関して優先設定がなされていない場合には(ステップ５のＮＯ)、ハードディスク７に記録されたデータの中に消去可否フラグをつけたデータがあるか否かを検査し（ステップ１０）、優先的に消去する消去優先フラグをつけたデータがある場合にはそのデータを消去する（ステップ１１）。
【００３４】
一方、消去優先フラグをつけたデータがない場合には（ステップ１０のＮＯ）、各データについてそのデータが記録されたデートコードに従ってソートを行う（ステップ１２）。この場合も、データ中、消去禁止フラグがついたものがあれば、それは対象外としてソートを実行する。そして、最も古いデートコードを持つデータから順次消去を行う（ステップ１３）。
【００３５】
〔３.効果〕
以上のような本実施形態によれば、データのアクセス頻度やデートコード、消去可否フラグを記録しておき、消去優先フラグがついたデータがあれば、まずそれを消去する。そして、デートコードよりもアクセス頻度を優先させた場合には消去禁止フラグがついたデータを除いてアクセス頻度の少ないデータから順次自動的に消去していく。また、アクセス頻度が優先されていない場合には消去禁止フラグがついたデータを除いてデートコードの古い順に自動的に消去していく。このように、ユーザが設定した条件でデータを絞っていき、合致したデータのみを自動的に消去することができる。したがって、ユーザ自身がその都度データをいちいち確認しながら消去するといった面倒な作業を省くことができ、消去作業の効率は格段に向上する。
【００３６】
しかも、本実施形態では消去対象となるデータに関して、消去優先フラグをつけることで消したいデータだけを消去可能である。反対に、消去したくないデータに対しては消去禁止フラグをつけておくことで当該データを確実に保護できる。また、データを消去する場合でも、アクセス頻度の低いものやデートコードの古いもの、つまりユーザにとって利用度あるいは重要度の低いデータから消していくことができる。その結果、貴重なデータを不用意に消去するといった不具合を確実に防止でき、消去作業の信頼性を高めることができる。
【００３７】
さらに本実施形態においては、データ消去時の判断情報として、アクセス頻度、消去可否フラグ、デートコードの３つを用意しておき、それらの優先順位を任意に設定可能である。これにより、ユーザは好みやニーズに応じてデータ消去手法をフレキシブルに選択することができる。
【００３８】
〔４.他の実施形態〕
なお、本発明は上記の実施形態に限定されるものではなく、以下に例示するような他の実施形態も包含する。すなわち、ハードディスクがフル状態となった場合に自動的にデータを消去するのではなく、まず消去作業が必要となったことをユーザに通知し、それからユーザがマニュアル操作でデータを消去するといった設定も可能である。
【００３９】
マニュアル操作でデータ消去作業を行う場合、アクセス頻度やデートコードの日付に関して同一であるデータが複数存在する時にのみ、ユーザに通知する設定としてもよい。これにより消去対象をある程度絞り込み、消去候補を少なくした上で、消去データの選択作業を容易化できるといったメリットがある。また、ユーザへの通知内容はデータのタイトルだけでもよいが、データ量を合わせて通知すれば、ハードディスクの空き容量を考慮しつつ消去作業を行うことができる。
【００４０】
また、消去優先情報において優先レベル１〜５というように優先度に幅を持たせることもできる。このような消去優先情報の付加や優先度の変更は、データ再生中にも可能である。消去の優先度を多段階に設定した場合、その範囲を指定することで指定範囲内のデータをハードディスクから一括して消去可能である。また、デートコードの古い順に消去するだけではなく、デートコードの範囲(例えば、一週間前より以前に記録されたデータなど)を指定して消去してもよい。以上のような消去作業により、重要なデータの消去を回避しつつ大量消去が可能であり、消去作業の効率化がいっそう向上する。
【００４１】
さらに、図２に示したフローチャートではアクセス頻度が優先されていない場合にデートコードの古い順にデータを消去していったが、アクセス頻度が優先されていない場合ではなく、アクセス頻度が同一の場合にデートコードの順に消去していくといった設定にしてもよい。また、データ消去の際に用いる３つの判断情報のうち、１つだけを選んでもよく、複数選ぶ場合の組み合わせも適宜選択自由である。
【００４２】
なお、本発明に使用される記録媒体としてはハードディスクだけではなく大容量半導体メモリなども含まれており、記録フォーマットとしてはｍｐ３、ｗｍｆ、ａｖｉ、ｍｐｅｇ１、ｍｐｅｇ２、ｍｐｅｇ４、ＤＶなどの各種フォーマットを採用可能である。また、本発明は車載用装置には限定されるものではなく、家庭用や携帯用の情報記録再生装置などにも広く適用可能である。
【図面の簡単な説明】
【００４３】
【図１】本発明の実施形態の構成を示す機能ブロック図。
【図２】本発明の実施の形態における処理手順を示すフローチャート。
【符号の説明】
【００４４】
１…ハードディスクナビゲーション装置
２…ＣＤプレーヤ
３…記録装置
４…機構部
５…再生制御部
６…スピーカ
７…ハードディスク
８…記録制御部
８ａ…メモリコントローラ
８ｂ…エンコーダ部
８ｃ…デコーダ部
９…アクセス頻度記録部
１０…消去可否フラグ記録部
１１…デートコード記録部
１２…判断情報順位設定部
１３…データ入力部
【図１】
2005276279.tif 000003
【図２】
2005276279.tif 000004